(57)【要約】【課題】電動式シャッターの施錠装置において、シャッターカーテンの下端部に隙間ができない構成とする。【解決手段】シャッターカーテン２を全閉姿勢で施錠する施錠装置を、シャッターカーテン２の側部およびガイドレール５の下端部に、シャッターカーテン２の全閉姿勢でカーテン面に直交する方向に連通するようそれぞれ形成された貫通孔３ｅ、５ｄと、床面およびガイドレール５の下端部に支持され、前記貫通孔３ｅ、５ｄに貫通状に挿通する作動ロッド１６を備えたロッドユニット９とにより構成する。【選択図】        図２
2004300677.tif 000002
【特許請求の範囲】
【請求項１】
電動モータの正逆駆動に伴い、シャッターカーテンが開口部を開放する全開姿勢と閉鎖する全閉姿勢とのあいだを変姿する電動式シャッターにおいて、シャッターカーテンを全閉姿勢で施錠する施錠装置を、シャッターカーテンの側部および該シャッターカーテンの両側部の移動案内をするガイドレールの各閉鎖側端部に、シャッターカーテンの全閉姿勢でカーテン面に直交する方向に連通するようそれぞれ開設された貫通孔と、躯体の閉鎖側端部に設けられ、前記シャッターカーテンとガイドレールとの各貫通孔に挿通してシャッターカーテンを施錠する作動ロッドとで構成した電動式シャッターにおける施錠装置。
【請求項２】
請求項１において、作動ロッドは、電動モータの駆動力に基づいて進退作動し、シャッターカーテンとガイドレールとの貫通孔に貫通する施錠姿勢と貫通孔から抜出す解錠姿勢とに変姿するロッドユニットに構成されている電動式シャッターにおける施錠装置。
【請求項３】
請求項２において、ロッドユニットは、躯体側に固定される固定プレートを介してガイドレールに一体的に連結されている電動式シャッターにおける施錠装置。
【請求項４】
請求項２または３において、ガイドレールと固定プレートとのあいだには補強用の補強プレートが設けられている電動式シャッターにおける施錠装置。
【請求項５】
請求項３または４において、固定プレートは、補強プレートに対し開閉方向の位置調整が自在な状態で固定されている電動式シャッターにおける施錠装置。
【請求項６】
請求項１乃至５の何れかにおいて、シャッターカーテンは、複数のスラットが開閉方向にインターロック結合されて構成されたものとし、スラットのスラット面には耐風フックまたは防犯フックが一体的に設けられ、閉鎖側端部のスラットの耐風フックまたは防犯フックは、スラット貫通孔に連通する貫通孔が開設されている電動式シャッターにおける施錠装置。
【請求項７】
請求項１乃至６の何れかにおいて、ロッドユニットは、電動モータと、該電動モータの駆動に伴い正逆回転する螺子軸と、該螺子軸に螺合し、螺子軸の正逆回転に伴い螺子軸上を進退変位するスライド体と、該スライド体に一体的に連結された作動ロッドとを備えて構成され、シャッターカーテンとロッドユニットとは、シャッターカーテンの閉鎖作動の終了後に作動ロッドが施錠姿勢に変姿し、作動ロッドが解錠姿勢に変姿した後にシャッターカーテンの開放作動が開始するように連繋されている電動式シャッターにおける施錠装置。
【発明の詳細な説明】
【０００１】
【発明の属する技術分野】
本発明は、建築物の開口部等に設けられる電動式シャッターにおける施錠装置の技術分野に属するものである。
【０００２】
【従来の技術】
一般に、この種建築物の開口部に設けられる建築用シャッターのなかには、電動モータの正逆駆動に伴いシャッターカーテンが開口部を開閉作動し、開口部を開放する開放姿勢と閉鎖する閉鎖姿勢とのあいだを変姿するように構成された電動式シャッターがある。このようなものにおいて、シャッターに防犯機能を付与するため、シャッターカーテンの閉鎖時にシャッターカーテンの開放を規制する（施錠する）施錠装置を設けることが提唱されている。このような施錠装置として、シャッターカーテンを収納するシャッターケース内に、電磁ソレノイドへの電源切換えでシャッターカーテンのカーテン面に直交する方向に進退作動する作動腕を設ける一方、シャッターカーテンが閉鎖姿勢になった状態でシャッターケース内に位置するシャッターカーテンのカーテン面に貫通孔を開設し、前記電磁ソレノイドへの電源切換えに基づいて作動腕を進出させることにより、該作動腕がシャッターカーテン貫通孔に挿通し、これによって、シャッターカーテンの開放を規制する構成としたものがある（例えば、特許文献１参照。）。
【０００３】
【特許文献１】
実公昭５９−１２３８９号公報
【０００４】
【発明が解決しようとする課題】
しかるに、前記特許文献１のものは、作動腕と、これが挿通するシャッターカーテン貫通孔とが、シャッターカーテンの全閉姿勢において開放端側に設けられていて、該開放端側位置においてシャッターカーテンの開放作動を規制する構成となっている。このため、複数枚のスラットを上下方向に並列させ、これらのあいだをインターロック結合して構成したシャッターカーテンを備えたシャッターに、前記特許文献１のような構成の施錠装置を取付けた場合では、シャッターカーテンが全閉姿勢となっている状態において、スラット同志のあいだに上下方向に変位自在な部分が形成されていることから、シャッターカーテンを下から押し上げることにより床面とシャッターカーテンの下端部とのあいだに隙間が形成されてしまうことがある。このようになると、該下端側の隙間に、バールやジャッキを挿入させることで、簡単にシャッターカーテンを抉じ開けることが可能となってしまい防犯性に劣るという問題があり、ここに本発明が解決しようとする課題があった。
【０００５】
【課題を解決するための手段】
本発明は、上記の如き実情に鑑み、これらの課題を解決することを目的として創作されたものであって、電動モータの正逆駆動に伴い、シャッターカーテンが開口部を開放する全開姿勢と閉鎖する全閉姿勢とのあいだを変姿する電動式シャッターにおいて、シャッターカーテンを全閉姿勢で施錠する施錠装置を、シャッターカーテンの側部および該シャッターカーテンの両側部の移動案内をするガイドレールの各閉鎖側端部に、シャッターカーテンの全閉姿勢でカーテン面に直交する方向に連通するようそれぞれ開設された貫通孔と、躯体の閉鎖側端部に設けられ、前記シャッターカーテンとガイドレールとの各貫通孔に挿通してシャッターカーテンを施錠する作動ロッドとで構成したものである。
そして、このようにすることにより、シャッターカーテンの最下端が上動規制されるので、従来のように、床面とのあいだに隙間が形成されてしまうような不具合を無くすことができる。
このものにおいて、本発明の作動ロッドは、電動モータの駆動力に基づいて進退作動し、シャッターカーテンとガイドレールとの貫通孔に貫通する施錠姿勢と貫通孔から抜出す解錠姿勢とに変姿するロッドユニットに構成されているものとすることができ、このようにすることにより、作動ロッドを自動的に操作することができる。
さらに、このものにおいて、本発明のロッドユニットは、躯体側に固定される固定プレートを介してガイドレールに一体的に連結されているものとすることができ、このようにすることにより、ロッドユニットをガイドレールだけでなく躯体側にも支持させることができる。
また、このものにおいて、本発明のガイドレールと固定プレートとのあいだには補強用の補強プレートが設けられているものとすることができ、このようにすることにより、ガイドレール５の強度アップを図ることができる。
さらにまた、このものにおいて、本発明の固定プレートは、補強プレートに対し開閉方向の位置調整が自在な状態で固定されているものとすることができ、ロッドユニットの躯体からの位置を自由に設定できて、ガイドレール側の貫通孔と固定プレート側の作動ロッドの位置合せを精度よく行った状態でロッドユニットの躯体側への取付けが可能となる。
さらに、このものにおいて、本発明のシャッターカーテンは、複数のスラットが開閉方向にインターロック結合されて構成されたものとし、スラットのスラット面には耐風フックまたは防犯フックが一体的に設けられ、閉鎖側端部のスラットの耐風フックまたは防犯フックは、スラット貫通孔に連通する貫通孔が開設されているものとすることができ、シャッターカーテンの貫通孔形成部位を補強することができる。
また、このものにおいて、本発明のロッドユニットは、電動モータと、該電動モータの駆動に伴い正逆回転する螺子軸と、該螺子軸に螺合し、螺子軸の正逆回転に伴い螺子軸上を進退変位するスライド体と、該スライド体に一体的に連結された作動ロッドとを備えて構成され、シャッターカーテンとロッドユニットとは、シャッターカーテンの閉鎖作動の終了後に作動ロッドが施錠姿勢に変姿し、作動ロッドが解錠姿勢に変姿した後にシャッターカーテンの開放作動が開始するように連繋されているものとすることができ、作動ロッドのストロークの設定が自由にできるうえ、シャッターカーテンの開閉に伴い自動的な施錠−解錠操作ができて、操作性のよいものにできる。
【０００６】
【発明の実施の形態】
次に、本発明の第一の実施の形態を図１〜３の図面に基づいて説明する。
図面において、１は、工場、倉庫等の大型建築物の開口部に建付けられた重量型かつ大型の電動式シャッターであって、該電動式シャッター１を構成するシャッターカーテン２は、複数枚のスラット３を上下方向に連綴することで構成されている。このように構成されたシャッターカーテン２は、開口部の上部に配設されたシャッターケース４に収納される巻取りドラム（図示せず）に巻装されており、該巻取りドラムには、電動モータを備えた開閉機（図示せず）が連動連結されている。そして、シャッターカーテン２は、開閉機（電動モータ）の正逆駆動に伴い巻取りドラムに巻取られて開口部を開放する全開姿勢から、巻取りドラムから巻出されて開口部を閉鎖する全閉姿勢とのあいだを変姿するように設定されている。さらに、シャッターカーテン２は、左右両側縁部（両側部）が開口部の両側に立設された左右一対のガイドレール５のガイド溝５ａに嵌入しており、これによって、開閉変姿する際にガイドレール５による移動案内を受けるように設定されており、これらの基本構成は、何れも従来通りの構成となっている。
【０００７】
前記ガイドレール５は、屋内外一対の板材の対向間にガイド溝５ａが形成されているが、該ガイド溝５ａを構成する屋内外側片５ｂ、５ｃは、溝開口側部位においては屋内外方向の溝幅がシャッターカーテン２（スラット３）の板厚よりもやや幅広な寸法に設定されており、溝奥側部位、即ち、シャッターカーテン２の左右側縁部対向部位よりも溝奥側部位においては、屋外側側片５ｃが屋外側に向けて折曲して溝幅の広い（幅広な）ガイド溝５ａに形成されている。
さらに、ガイドレール５下端部の屋内側片５ｂには、溶着等の固定手段により長板形状の補強プレート６が一体的に固定されており、屋内側片５ｂの強度アップを図るように設定されている。そして、該補強プレート６固定部位におけるガイドレール５の屋内外側片５ｂ、５ｃには、シャッターカーテン２のカーテン面に直交する方向（スラット３の板厚方向）に貫通する貫通孔５ｄがそれぞれ連通状に開設されており、これら貫通孔５ｄは本発明の施錠装置を構成しており、前記補強プレート６に開設された上下方向に長い貫通孔６ａに連通して形成されている。
【０００８】
一方、前記シャッターカーテン２を構成するスラット３は、屋内外一対の本体部３ａ、３ｂと、屋外側本体部３ｂの上下縁部にインターロック部３ｃ、３ｄがそれぞれ形成されており、上下に隣接するスラット３のインターロック部３ｃ、３ｄ同志をインターロック結合することにより、上下方向に長いシャッターカーテン２が構成されている。また、各スラット３において、開口部対応部位には、屋内外本体部３ａ、３ｂのいあだに防音材７が内装されており、ガイドレール５に内嵌される左右両側縁部の屋外側本体部３ｂ屋内側面には、強風を受けたシャッターカーテン２がガイドレール５から抜出すのを防止するための耐風フック８が溶着等の手段により固定されている。
因みに、前記耐風フック８は、基端部８ａがスラット３の左右端部に溶着により一体化されているとともに、先端部８ｂは屋外側に向けて折曲して形成され、ガイドレール５のガイド溝５ａの幅広な溝奥側に突出している。そして、耐風フック８は、強風に煽られることで屋内側に変位しようとするシャッターカーテン２が、屋外側に向けて折曲した耐風フック８の先端部８ｂがガイドレール５の屋外側片５ｃの折曲部に係止することで、ガイドレール５から抜け止めされるように構成されている。
そうして、シャッターカーテン２が開口部を閉鎖する全閉姿勢となったとき、シャッターカーテン２の下端部のスラット（本実施の形態では、最下端に配される座板２ａから二番目のスラット）３は、ガイドレール５に形成された貫通孔５ｄに対向しており、該部位の屋内外一対の本体部３ａ、３ｂには、ガイドレール貫通孔５ｄに連通し、かつ、耐風フック基端部８ａをも貫通する状態で貫通孔３ｅが形成されている。
【０００９】
９は、本発明の施錠装置を構成するロッドユニットであって、該ロッドユニット９を構成する固定ブラケット１０は、ガイドレール５の溝奥側に位置し、カーテン面に直交する方向の取付け面となる第一取付け片部１０ａと、該第一取付け片部１０ａに続き、ガイドレール５の屋内側片５ｂに対向する取付け面となる第二取付け片部１０ｂと、該第二取付け片部１０ｂに続き、ガイドレール５の屋外側片５ｃを含む外周に沿うように折曲形成された支持片部１０ｃとを備えて構成されている。
そして、第一取付け片部１０ａには、平面視コ字状のステー片１１が固定されており、ステー片１１の屋内側の支持片１１ａには、下方に位置して電動モータ１２が固定されており、電動モータ１２の出力軸１２ａが支持片１１ａを貫通して屋内側に突出している。さらに、ステー片１１の屋内外一対の支持片１１ａ、１１ｂには、電動モータ１２の上方に位置して螺子軸１３が回転自在に支架されており、該螺子軸１３の屋内側支持片１１ａを貫通して屋内側に突出する屋内側端部に、電動モータ出力軸１２ａに設けた駆動ギア１２ｂに噛合する従動ギア１３ａが設けられている。そして、螺子軸１３は、電動モータ１２が正逆駆動することに伴い、正逆何れかの方向に回転するように設定されている。
【００１０】
そして、前記螺子軸１３にはナット体１４が螺合しているが、該ナット体１４の外周には、上下方向に長い連結アーム１４ａの下端部が一体的に外嵌されており、該連結アーム１４ａの上端部１４ｂが、ステー片１１の屋内外支持片１１ａ、１１ｂに支架された規制バー１５に屋内外方向移動自在な状態で一体的に連結されている。そして、電動モータ１２の駆動に伴い螺子軸１３が正逆何れかに回転したとき、ナット体１４は、連結アーム１４ａが規制バー１５により回転規制を受けることに基づいて螺子軸１３との一体回動を規制され、これによって、ナット体１４は、螺子軸１３に対して屋内外何れかの方向に相対移動をするように設定されている。
【００１１】
さらに、前記連結アーム１４ａの上下方向中間部には、本発明の作動ロッド１６の基端部が一体的に連結されており、該作動ロッド１６の先端部１６ａは、ステー片１１の屋外支持片１１ｂに開設された貫通孔１１ｃを介してガイドレール５側に突出している。そして、作動ロッド１６は、ナット体１４の前記相対移動に伴い先端部１６ａが屋外側（ガイドレール側）に進出し、固定ブラケット１０の支持片部１０ｃに開設された貫通孔１０ｄに挿通する位置に達する施錠姿勢（図２において仮想線で図示）と、屋内側に退避する解錠姿勢（図２において実線で図示）とに変姿するように設定されている。
尚、１７は、作動ロッド１６の近傍に設けられた一対の位置検知センサであって、これら各位置検知センサ１７は、作動ロッド１６が施錠姿勢になったこと、解錠姿勢になったことに基づいて、それぞれ対応するスイッチを切換えるように設定されている。
【００１２】
このように構成されたロッドユニット９は、固定ブラケット１０の第二取付け片部１０ｂに固定された固定プレート１８を介して、ガイドレール５だけでなく、躯体側にも固定されるように設定されている。
つまり、固定プレート１８は、カーテン面に沿う板面を有した上下方向長板材の溝奥側縁部が固定ブラケット第二取付け片部１０ｂに固定されており、固定プレート１８の下端部には、Ｌ字状に折曲することで形成された固定片１８ａが形成されている。さらに、固定プレート１８には、前記作動ロッド１６が施錠姿勢になっているときに先端部１６ａが貫通状に挿通するための貫通孔１８ｂが開設されているとともに、該貫通孔１８ｂの上下の各部位には、上下方向に長い長孔１８ｃがそれぞれ開設されている。そして、ロッドユニット９は、固定ブラケット１０の支持片部１０ｃをガイドレール５の外周に沿わせ、かつ、固定プレート１８をガイドレール５に固定された補強プレート６に屋内側からあてがい、固定プレート１８の長孔１８ｃから挿通したボルト１９の先端部を、ガイドレール５に固定された補強プレート６の上下二箇所に刻設された螺子孔６ｂに螺合することで、ガイドレール５側に固定されるように設定されている。このとき、固定プレート１８は、ボルト１９の螺合位置を長孔１８ｃ内のにおいて位置調整することにより、補強プレート６（ガイドレール５）に対する上下方向の位置調整ができるように設定されている。これによって、ロッドユニット９は、作動ロッド先端部１６ａがガイドレール５（補強プレート６）側の貫通孔５ｄ、６ａに対向する位置関係に位置せしめた状態で補強プレート６に固定することができ、貫通孔５ｄ、６ａと作動ロッド１６との位置関係が高精度で取付けられるように設定されている。そして、固定プレート１８は、固定片１８ａを床面にアンカーボルト２０を用いて固定することにより、床面への固定ができるようになっており、これによって、作動ロッド１６は、ガイドレール５だけでなく床面による支持も受けられるように設定されている。
【００１３】
そして、この取付け状態において、作動ロッド１６の先端部１６ａは、施錠姿勢に変姿した場合では、固定プレート１８、補強プレート６、ガイドレール５、全閉姿勢のシャッターカーテン２のスラット３、ガイドレール５の屋外側に位置する固定ブラケット支持片部１０ｃにそれぞれ形成された貫通孔１８ｂ、６ａ、５ｄ、３ｅ、１０ｄに挿通するように設定されており、これによって、シャッターカーテン２の開放作動（上動）を規制（施錠）するように構成されている。また、作動ロッド１６が解錠姿勢に変姿した場合では、これらの貫通孔１８ｂ、６ａ、５ｄ、３ｅ、１０ｄから退避し、これによって、シャッターカーテン２の開放作動を許容するように設定されている。
尚、Ｃは、ガイドレール５下端部の屋外側部位から屋内側部位全体を覆うように設けられるケース体である。
【００１４】
そして、シャッターカーテン２とロッドユニット９とはつぎのように連繋されている。
図示しないボタン操作等に伴い、電動式シャッター１の開閉機が閉鎖駆動した場合では、シャッターカーテン２は閉鎖作動を開始し、全閉姿勢になることに伴い開閉機の駆動が停止される。この状態となると、ロッドユニット９の電動モータ１２は、作動ロッド１６を進出させる方向に駆動し、作動ロッド１６が施錠姿勢となることに伴い電動モータ１２の駆動を停止するように設定されており、これによって、シャッターカーテン２は全閉姿勢になることに伴い自動的に施錠されるように構成されている。
一方、前記シャッターカーテン２の全閉姿勢から開放作動をする場合では、開閉機の開放駆動を開始する以前の段階で、ロッドユニット９の電動モータ１２が作動ロッド１６を退避させる方向に駆動し、作動ロッド１６が解錠姿勢となることに伴い電動モータ１２の駆動が停止するように設定されており、これによって、シャッターカーテン２は、予め自動的に解錠されてから開放作動するように構成されている。
【００１５】
叙述の如く構成された本発明の実施の形態において、電動式シャッター１のシャッターカーテン２が全閉姿勢になることに伴い、ロッドユニット９の作動ロッド１６がカーテン面に直交する方向に進出し、シャッターカーテン２およびガイドレール５に形成された貫通孔３ｅ、５ｄに挿通する施錠姿勢となり、シャッターカーテン２は作動ロッド１６により開放作動が規制された施錠状態となる。この場合に、作動ロッド１６による施錠位置は、シャッターカーテン２の最下端に位置している。このため、シャッターカーテン２を複数のスラット３をインターロック結合することにより構成し、全閉姿勢においてもスラット３同志の上下方向への変位が自在となっていたとして、シャッターカーテン２の最下端が作動ロッド１６により規制されているため、シャッターカーテン２の最下端と床面とのあいだに隙間を形成することができない。従って、バールやジャッキを用いてシャッターカーテン２を抉じ開けられる惧れが解消され、高い防犯性を有した施錠装置とすることができる。
【００１６】
しかも、本発明が実施されたものにおいては、作動ロッド１６は、電動モータ１２を備えたロッドユニット９に構成されているため、施錠−解錠操作を電動で行うことができて操作性に優れる。
【００１７】
さらに、このものでは、ロッドユニット９は、固定プレート１８を介してガイドレール５に一体的に連結されるが、さらに、固定プレート１８は床面に対しても固定される構成となっているため、作動ロッド１６（施錠装置として）の支持を両者から受けられることになって、作動ロッド１６の強度を一層高めることができる。
【００１８】
そのうえ、このものでは、ガイドレール５の貫通孔５ｄに、固定プレート貫通孔１８ｂ、補強プレート貫通孔６ａ、固定ブラケット貫通孔１０ｄが連通状に設けられているため、シャッターカーテン２を無理矢理上動させようとすることにより作用する作動ロッド１６からの負荷が、ガイドレール５とスラット３とに集中することがなく、もって、シャッターカーテン２やガイドレール５が破損しにくくさせることができる。
【００１９】
さらに、本発明が実施されたロッドユニット９は、ガイドレール５に対して位置調整自在な固定プレート１８を介して設けられているため、現場ごとに異なる貫通孔５ｄの位置に合わせて作動ロッド１６の位置を自由に調整しながら床面に固定することができて、位置合せの精度を一層高めた施錠装置とすることができる。
【００２０】
また、このものにおいて、スラット３には防犯フック８が設けられており、スラット３に形成される作動ロッド１６貫通用の貫通孔３ｅは、防犯フック８の基端部８ａに連通する状態で形成されているため、貫通孔３ｅ部におけるスラット３の補強がなされて、スラット３の破損を防止できる。
【００２１】
しかも、ロッドユニット９は、電動モータ１４の駆動力により螺子軸１３上を移動するナット体１４により作動ロッド１６が姿勢変姿する構成としたので、作動ロッド１６の変位ストロークの設定の自由度が大きくなる。そのうえ、ロッドユニット９は、シャッターカーテン２の閉鎖作動の終了後に作動ロッド１６が施錠姿勢に変姿し、作動ロッドが解錠姿勢に変姿した後にシャッターカーテン２の開放作動が開始するように連繋されているため、施錠−解錠操作をいちいち行う必要がなく、優れた操作性の電動式シャッター１とすることができる。
【００２２】
尚、本発明は前記実施の形態に限定されないことは勿論であって、図４、５に示す第二の実施の形態について説明する。図面において、第一の実施の形態と共通するもの（同一のもの）については、同一の符号を付して引出すと共にその詳細については省略する。尚、図１については第一の実施の形態のものを共用できる。
本実施の形態の電動式シャッター１は、シャッターカーテン２の左右両側部に耐風フックではなく、シャッターカーテン２の屋外側への抜け出しを防止する防犯フック２１が設けられ、それに伴い、ガイドレール２２は屋内側片２２ａに折曲部が形成されたものになっている。さらに、このものでは、ロッドユニット９を構成する固定プレート２３がＬ字形状に形成されており、固定ブラケット２４に対し溶着手段を介して固着される構成となっている。そして、このものにおいても、固定ブラケット２４に設けられた作動ロッド１６が電動モータ１２の駆動に伴い施錠姿勢と解錠姿勢に変姿することに基づいてシャッターカーテン２の施錠−解錠をするように構成されており、前記第一の実施の形態と同様の効果を奏している。
【図面の簡単な説明】
【図１】電動式シャッターの全体正面図である。
【図２】施錠装置取付け部位の一部断面側面図である。
【図３】図２におけるＸ−Ｘ断面図である。
【図４】第二の実施の形態における施錠装置取付け部位の一部断面側面図である。
【図５】図４におけるＸ−Ｘ断面図である。
【符号の説明】
１    電動式シャッター
２    シャッターカーテン
３    スラット
３ｅ    貫通孔
５    ガイドレール
５ｅ    貫通孔
６    補強プレート
６ａ    貫通孔
８    耐風フック
９    ロッドユニット
１０    固定ブラケット
１２    電動モータ
１３    螺子軸
１４    ナット体
１５    規制バー
１６    作動ロッド
１７    位置検知センサ
１８    固定プレート
１８ｂ    貫通孔
１８ｃ    長孔
【図１】
2004300677.tif 000003
【図２】
2004300677.tif 000004
【図３】
2004300677.tif 000005
【図４】
2004300677.tif 000006
【図５】
2004300677.tif 000007